(57)【特許請求の範囲】
【請求項１】
長さ方向に伸縮可能な水平な天秤と、ポールと、前記天秤の両端部付近の各々に設けられたポール保持金具と、前記ポールの下端部にヒンジ機構により屈折可能に接続されたポールしなり部とからなり、前記ポール保持金具は、前記ポールを長さ方向に移動可能且つ前記天秤との交差角度を変更可能に前記天秤に保持することを特徴とする、鋼管吊りロープ横張り装置。
【請求項２】
前記ポール保持金具は、前記ポールを間に挟んでその両側に設けられた、前記ポールに形成されたラックに歯合するピニオンおよび前記ピニオンと対向して前記ポールを保持する保持ローラと、前記ピニオンの駆動機構とを有しており、流体圧シリンダによって前記天秤に取付け角度可変に取り付けられている、請求項１記載の装置。
【請求項３】
前記ヒンジ機構によって前記ポールしなり部が接続された前記ポールの下端部には、前記ポールしなり部が、前記ポールよりも外側に屈折しないように押さえるストッパが設けられており、前記ストッパと前記ポールしなり部との間には、前記ポールしなり部を前記ストッパに押し付け、前記ポールと同一軸線上に保持するための押し付け機構または引張り機構が設けられている、請求項１または２記載の装置。
【発明の詳細な説明】
【０００１】
【発明の属する技術分野】
この発明は、クレーン等からのワイヤーロープによって鋼管等を吊り上げ吊り降ろす鋼管荷役作業用の鋼管吊りロープ横張り装置に関するものである。
【０００２】
【従来の技術】
クレーン等による鋼管の吊り上げおよび吊り降ろしは、従来、図７に示すように、両端部にシャックル２３を介しフック２４が取り付けられた所定長さの天秤２２を、クレーン等からのワイヤーロープ２１に吊り下げ、天秤２２のフック２４に、複数本の鋼管２６の各両端が吊りフック２８によって係止された複数本の吊りワイヤー２７を、鉄環２５を介して係止することにより行われていた。
【０００３】
【発明が解決しようとする課題】
上述した従来の天秤による鋼管の吊り上げおよび吊り降ろしには、次のような問題がある。
(1) 地上に置かれた複数本の鋼管の両端に対する吊りフック２８の着脱は、すべて手作業で行われているので、その玉掛け作業のために、通常約４名以上の作業員を必要とし、作業員が複数個の吊りフック２８を抱え持って吊り荷上を移動しなければならず、その作業は危険を伴い且つ時間を要し非能率である。
(2) 吊り上げる鋼管２６は、例えば５〜１８ｍの各種の長さを有しているために、鋼管の長さによって、クレーン等からのワイヤーロープ２１に吊り下げられている天秤２２を、例えば１〜１１ｍの各種の長さのものに付け替えなければならず、その作業は煩雑であり、クレーンの作業能率低下を招いている。
(3) 天秤２２に吊り下げられた複数本の吊りワイヤー２７の相互間には、２本毎にその中間部にからみ防止のためのスプリング２９が取り付けられてはいるが、それでも、吊りフック２８の取り付けられている先端部分ではからみが生じ、吊りフック２８の玉掛け作業がやりにくい。
【０００４】
従って、この発明の目的は、上述した問題を解決し、クレーン等からのワイヤーロープによる複数本の鋼管の吊り上げおよび吊り降ろしに際し、鋼管両端部に対する吊りフックの着脱を、少人数で短時間に能率的に行うことができる鋼管吊りロープ横張り装置を提供することにある。
【０００５】
【課題を解決するための手段】
この発明の鋼管吊りロープ横張り装置は、長さ方向に伸縮可能な水平な天秤と、ポールと、前記天秤の両端部付近の各々に設けられたポール保持金具と、前記ポールの下端部にヒンジ機構により屈折可能に接続されたポールしなり部とからなり、前記ポール保持金具は、前記ポールを長さ方向に移動可能且つ前記天秤との交差角度を変更可能に前記天秤に保持することに特徴を有するものである。
【０００６】
前記ポール保持金具は、前記ポールを間に挟んでその両側に設けられた、前記ポールに形成されたラックに歯合するピニオンおよび前記ピニオンと対向して前記ポールを保持する保持ローラと、前記ピニオンの駆動機構とを有しており、流体圧シリンダによって前記天秤に取付け角度可変に取り付けられている。
【０００７】
前記ヒンジ機構によって前記ポールしなり部が接続された前記ポールの下端部には、前記ポールしなり部が、前記ポールよりも外側に屈折しないように押さえるストッパが設けられており、前記ストッパと前記ポールしなり部との間には、前記ポールしなり部を前記ストッパに押し付け、前記ポールと同一軸線上に保持するための押し付け機構または引張り機構が設けられている。
【０００８】
【発明の実施の形態】
次に、この発明を図面を参照しながら説明する。図１は、この発明の装置の一実施態様を示す全体概略説明図である。図１に示すように、この発明の装置は、長さ方向に伸縮可能な水平な天秤１と、天秤１の両端部付近の各々に設けられたポール保持金具３と、長さ方向に移動可能で且つ天秤１との交差角度が変更可能に、保持金具３により保持されたポール２と、ポール２の下端部にヒンジ機構により屈折可能に接続されたポールしなり部４とからなっている。
【０００９】
図２は天秤とポールとの接続部を示す拡大正面図、図３は図２のＡ矢視図、図４は図３のＡ−Ａ線断面図である。天秤１は、例えば外筒内に内筒が伸縮自在に挿入された入子式のような図示しない伸縮機構によって、その長さ方向に伸縮可能になっている。天秤１の両端部付近には、ポール保持金具３が、天秤１に固定された取付け金物５に軸６により傾動可能に軸着されており、ポール保持金具３と天秤１との間には、液圧シリンダ７が軸着されている。
【００１０】
ポール保持金具３には、ポール２を間に挟んでその両側に、ピニオン８と鼓形の保持ローラ９とが、ポール２の長さ方向に所定間隔をあけて２対設けられている。ピニオン８は、軸１０によってモータ１１に回転可能に接続されている。
【００１１】
ポール２の一側面には、ピニオン８に歯合するラック１２がその長さ方向に形成されている。従って、モータ１１の駆動によるピニオン８の回転によって、ポール２は、その長さ方向に前後進する。
【００１２】
前述したように、天秤１とポール保持金具３との間には、液圧シリンダ７が軸着されているので、液圧シリンダ７の作動によってポール保持金具３は傾動し、ポール保持金具３に保持されているポール２の、天秤１に対する傾斜角度を変えることができる。
【００１３】
図５に示すように、ポール２の下端部には、ヒンジ機構１３によって、ポールしなり部４が内側に屈折可能に接続されている。ポール２の下端部には、ポールしなり部４が、ポール２よりも外側に屈折しないように押さえるストッパ１４が設けられている。そして、ポールしなり部４の上部に取り付けられた金物１５とストッパ１４の下部との間には、ポールしなり部４をストッパ１４に押し付け、これをポール２と同一軸線上に保持するための押し付け機構または引張り機構として例えばスプリング１６が取り付けられている。
【００１４】
１７は、天秤１の両端に設けられたワイヤ取付け金具、１９は、クレーン等からのワイヤーロープ２０の下端に取り付けられた旋回フック１８に一端が取り付けられ、ワイヤ取付け金具１７を介して垂下し、ポールしなり部４の下端に接触するワイヤーロープで、その下端には吊りフックが取り付けられている。
【００１５】
上述した構造の吊りロープ横張り装置を、図６(a) に示すように、クレーン等からのワイヤーロープ２０の下端に取り付けた上、吊り上げるべき鋼管２６の上方に移動し、鋼管２６に向けて下降させる。そのとき、図６(b) に示すように、天秤１を伸縮させて、吊り上げるべき鋼管２６の長さに応じた適当な長さとなし、そして、天秤１の両端部に設けられたポール保持金具３に保持されているポール２を、モータ１１の駆動により移動させ、且つ、天秤１に設けられた液圧シリンダ７の作動により、ポール保持金具３は傾動させて、ポール２の天秤１に対する傾斜角度を変える。
【００１６】
その結果、天秤１の両端のワイヤ取付け金具１７に取り付けられた、下端に吊りフックを有するワイヤーロープ１９は、ポールしなり部４の下端に支持されて、吊り上げるべき鋼管２６の管端近傍まで張り出され、ロープ下端に取り付けられた吊りフックを鋼管２６の管端内に係止せしめることができ、これによって、鋼管２６は吊り上げられる。図６(c) に示すように、鋼管２６の吊り上げ時には、ポール２の下端のポールしなり部４は内側にしなり、鋼管２６を確実に保持する。このようにして、鋼管の管端部に対する吊りフックの係止を少人数の作業員で短時間で容易に行うことができる。
【００１７】
【発明の効果】
以上述べたように、この発明によれば、クレーン等からのワイヤーロープによる鋼管の吊り上げおよび吊り降ろしに際し、鋼管管端部に対する吊りフックの着脱を、少人数で短時間に能率的に行うことができる、工業上有用な効果がもたらされる。
【図面の簡単な説明】
【図１】この発明の装置の一実施態様を示す全体概略説明図である。
【図２】この発明の装置の天秤とポールとの接続部を示す拡大正面図である。
【図３】図２のＡ矢視図である。
【図４】図３のＡ−Ａ線断面図である。
【図５】ポールの下端部付近を示す正面図である。
【図６】この発明の装置による鋼管の吊り上げ状態を示す説明図である。
【図７】従来の天秤による鋼管の吊り上げ状態を示す斜視図である。
【符号の説明】
１  天秤
２  ポール
３  ポール保持金具
４  ポールしなり部
５  取付け金物
６  軸
７  液圧シリンダ
８  ピニオン
９  保持ローラ
10  軸
11  モータ
12  ラック
13  ヒンジ機構
14  ストッパ
15  取付け金物
16  スプリング
17  ワイヤ取付け金具
18  旋回フック
19  ワイヤロープ
20  ワイヤロープ
21  ワイヤロープ
22  天秤
23  シャックル
24  フック
25  鉄環
26  鋼管
27  吊ワイヤー
28  吊りフック
29  からみ防止スプリング
【図１】
0003755226.tif 000002
【図２】
0003755226.tif 000003
【図３】
0003755226.tif 000004
【図４】
0003755226.tif 000005
【図５】
0003755226.tif 000006
【図６】
0003755226.tif 000007
【図７】
0003755226.tif 000008